(57)【要約】【課題】軽量シャーシを用いた液晶表示モジュールを提供する。【解決手段】収納容器１００にステンレス鋼材質の強度補強クリップ４００を結合し、ステンレス鋼より比重が軽いアルミニウム又はアルミニウム合金材質により製作された軽量シャーシ５００を収納容器１００に締結して外部から加えられた衝撃が強度補強クリップ４００で吸収されることができるようにして、軽量シャーシ５００の変形破損を防止する。これにより、液晶表示モジュール８００の全体的な重量を大きく減少させ、重量が減少することにより発生し得る強度低下問題も共に克服して低重量液晶表示装置を可能にする長所を有する。【選択図】　　　図１
2004021257.tif 000002
【特許請求の範囲】
【請求項１】
基底面及び基底面のエッジに沿って収納空間が形成されるように延び、外側面に少なくとも一つの第１穴が形成された側壁を有する収納容器と、
前記収納容器に収納されるバックライトアセンブリと、
前記バックライトアセンブリから供給された光を利用してディスプレーを実施する液晶表示パネル及び前記液晶表示パネルに駆動信号を印加する印刷回路基板を有する液晶表示パネルアセンブリと、
前記収納容器のうちの前記第１穴に対応する位置に固定され、前記第１穴に挿入される環状突起を有する強度補強クリップと、
前記液晶表示パネルアセンブリを固定させ、前記環状突起の位置に対応してシャーシ結合孔が形成されたシャーシとを含むことを特徴とする液晶表示モジュール。
【請求項２】
前記強度補強クリップは前記収納容器の前記外側面と向き合い、前記環状突起が形成された第１補強本体部と、
前記第１補強本体部から前記基底面の外側に結合するのために延びた第２補強本体部と、
前記第１補強本体部から前記側壁の上面に結合するために延びた第３補強本体部とを含むことを特徴とする請求項１に記載の液晶表示モジュール。
【請求項３】
前記収納容器の基底面には第１結合突起が形成され、前記第２補強本体部には前記第１結合突起と結合するための第１結合孔が形成されることを特徴とする請求項２に記載の液晶表示モジュール。
【請求項４】
前記収納容器の基底面には第２穴が形成され、前記第２補強本体部には前記第２穴に挿入されるように折り曲げて形成した第２結合突起が形成されたことを特徴とする請求項２に記載の液晶表示モジュール。
【請求項５】
前記第２補強本体部の結合突起は前記第２本体部の一部を切断し切断された部分を折り曲げて形成されたことを特徴とする請求項４に記載の液晶表示モジュール。
【請求項６】
前記第２補強本体部には前記印刷回路基板に形成された接地部と接触されるように延び、第１結合開口が形成されたグラウンド部がさらに形成され、前記グラウンド部と前記接地部はねじにより結合されることを特徴とする請求項２に記載の液晶表示モジュール。
【請求項７】
前記基底面のうちの前記グラウンド部と対応する所には、前記印刷回路基板及び前記ねじが前記基底面から突出されないように凹陥した収納凹所が形成されたことを特徴とする請求６に記載の液晶表示モジュール。
【請求項８】
前記側壁の上面には第３穴が形成され、前記第３補強本体部には前記第３穴に結合されるように一部が折り曲げられた離脱防止片がさらに形成されたことを特徴とする請求項２に記載の液晶表示モジュール。
【請求項９】
前記離脱防止片は前記第３補強本体部の縁端を部分的に折り曲げて形成されたことを特徴とする請求項８に記載の液晶表示モジュール。
【請求項１０】
前記シャーシは第１強度を有する第１メタルプレートから作られ、前記強度補強クリップは前記第１強度より高い第２強度を有する第２メタルプレートから作られていることを特徴とする請求項１に記載の液晶表示モジュール。
【請求項１１】
前記第１メタルプレートはアルミニウム又はアルミニウム合金材質により製作され、前記第２メタルプレートはステンレス鋼により製作されることを特徴とする請求項１０に記載の液晶表示モジュール。
【請求項１２】
前記収納容器の側面のうちの前記第１穴と隣接する所には第４穴が形成され、前記第４穴と対応するシャーシには第２結合孔が形成され、前記第４穴及び第２結合孔は締結ねじにより締結されることを特徴とする請求項１に記載の液晶表示モジュール。
【請求項１３】
前記強度補強クリップは前記シャーシの強度を補強するために、前記収納容器の二つの対向する側壁に固定されたことを特徴とする請求項１に記載の液晶表示モジュール。
【請求項１４】
基底面及び基底面のエッジに沿って収納空間が形成されるように延び、外側面に少なくとも一つの穴及びキャッチング突起が形成された側壁を有する収納容器と、
前記収納容器に収納されるバックライトアセンブリと、
前記バックライトアセンブリから供給された光を情報が含まれたイメージ光に変更してディスプレーを実施する液晶表示パネルアセンブリと、
帯形状に前記収納容器の前記側壁の上面、前記外側面、前記基底面を連続的に取囲んで固定され、前記穴に挿入される環状突起が形成された強度補強クリップと、
前記液晶表示パネルのエッジを押して固定させ、前記収納容器の前記キャッチング突起に結合されるためのフック及び前記環状突起の位置に対応してシャーシ締結孔が形成されたシャーシと、
締結ねじにより前記シャーシ締結孔を貫通して前記環状突起に結合されるケースとを含むことを特徴とする液晶表示装置。
【請求項１５】
前記ケースと前記シャーシとの間には前記シャーシ締結孔の位置に対応してブラケット締結孔が形成された補強ブラケットがさらに設けられたことを特徴とする請求項１４に記載の液晶表示装置。
【発明の詳細な説明】
【０００１】
【発明の属する技術分野】
本発明は液晶表示モジュール及びこれを利用した液晶表示装置に関するものであり、より詳細には、表示装置をなす構成部品の重さを最少化することに付随する強度低下を克服して高強度及び低重量を具現した液晶表示モジュール及びこれを利用した液晶表示装置に関するものである。
【０００２】
【従来の技術】
一般に、液晶表示装置は液晶により情報をディスプレーするための代表的な表示装置である。
【０００３】
ここで、液晶表示装置はわずか数μｍの厚さを有する液晶層により情報のディスプレーを実施することができる。
【０００４】
このような理由で、液晶表示装置は同一のスクリーンサイズを有するＣＲＴ方式ディスプレー装置に比べて重さ及び体積が相当に小さいという長所を有する。
【０００５】
このような長所を有する従来の液晶表示装置は、液晶表示パネル、バックライトアセンブリ、収納容器及びシャーシにより構成される。
【０００６】
液晶表示パネルは、二枚の透明なガラス間で液晶を精密に制御して情報が含まれていない光を情報が含まれた光に変更させるに適合した構成を有する。
【０００７】
バックライトアセンブリは、液晶表示パネルに、より均一な輝度を有する光を供給して液晶表示パネルがディスプレーを可能とするようにする。
【０００８】
収納容器は、バックライトアセンブリ及び液晶表示パネルを収納する役割を有する。
【０００９】
シャーシは、収納容器に収納されたバックライトアセンブリ及び液晶表示パネルが離脱することを防止する役割及び外部衝撃に対して割れやすい液晶表示パネルを保護する役割を共に有する。
【００１０】
このような構成を有する液晶表示装置の品質は、液晶表示装置の全体の厚さ、ディスプレー輝度及び液晶表示装置の全重量により決まる。
【００１１】
特に、液晶表示装置の使用目的が移動の便利な携帯用である場合、重量及び厚さなどが液晶表示装置の品質を決定する重要な要素になる。
【００１２】
従来では液晶表示装置の重量を減少させるために、液晶表示パネルに使用されるガラスとして低密度ガラスを使用したり、シートレスバックライトアセンブリを使用したり、導光板の重さを減少させるなど部品の機能を統合、部品数を減少、部品の厚さを縮小及び部品の材質を低重量材質に変更する等の手段を講じている。
【００１３】
しかし、液晶表示装置の全ての重量のうち、相当部分を占めているシャーシの場合、シャーシの固有の機能ために、重量を減少させる現在の技術としては、もうこれ以上の重量減少を期待することが困難であるという問題点を有している。
【００１４】
これは、シャーシが外部から液晶表示装置に加えられた衝撃を吸収又は液晶表示パネルなどに伝達されないようにする重要な役割を有するためである。
【００１５】
従って、シャーシの重量減少のために、シャーシの厚さを激しく薄くしたり、シャーシの材質を低比重金属に変更する場合、液晶表示装置の全重量は大きく減少されるが、一方、液晶表示装置の耐衝撃性が大きく低下し弱い衝撃にも液晶表示パネル、ランプなど割れやすい主要な部品が破損されるという問題点が生じる。
【００１６】
【発明が解決しようとする課題】
本発明の目的は、シャーシの重量を大きく減少させながら、要求される耐衝撃性は維持されるようにした液晶表示モジュールを提供することにある。
【００１７】
本発明の他の目的は、シャーシの重量を大きく減少させると同時に、シャーシの重量減少にもかかわらず、耐衝撃性は減少されないようにした液晶表示装置を提供することにある。
【００１８】
【課題を解決するための手段】
上述した目的を達成するための本発明は、基底面及び基底面のエッジに沿って収納空間が形成されるように延び、外側面に少なくとも一つの第１穴が形成された側壁を有する収納容器と、前記収納容器に収納されるバックライトアセンブリと、前記バックライトアセンブリから供給された光を利用してディスプレーを実施する液晶表示パネル及び前記液晶表示パネルに駆動信号を印加する印刷回路基板を有する液晶表示パネルアセンブリと、前記収納容器のうちの前記第１穴に対応する位置に固定され、前記第１穴に挿入される環状突起を有する強度補強クリップと、前記液晶表示パネルアセンブリを固定させ、前記環状突起の位置に対応してシャーシ結合孔が形成されたシャーシとを含む。
【００１９】
上述した他の目的を達成するための本発明は、基底面及び基底面のエッジに沿って収納容器が形成されるように延び、外側面に少なくとも一つの穴及びキャッチング突起が形成された側壁を有する収納容器と、前記収納容器に収納されるバックライトアセンブリと、バックライトアセンブリから供給された光を情報が含まれたイメージ光に変更してディスプレーを実施する液晶表示パネルアセンブリと、帯形状に前記収納容器の側壁の上面、外側面、基底面を連続的に取囲んで固定され、穴に挿入される環状突起が形成された強度補強クリップと、液晶表示パネルのエッジを押して固定させ、前記収納容器の前記キャッチング突起に結合されるためのフック及び前記環状突起の位置に対応してシャーシ締結孔が形成されたシャーシと、締結ねじによりシャーシ締結孔を貫通して環状突起に結合されるケースとを含む。
【００２０】
本発明によると、ステンレス鋼材質により製作されたシャーシ代りにステンレス鋼より比重が小さいアルミニウム又はアルミニウム合金材質により製作されたシャーシを使用して液晶表示モジュール又は液晶表示装置の厚さを減少させることは勿論、強度補強クリップを利用してアルミニウム又はアルミニウム合金材質により製作されたシャーシが外部衝撃などにより変形又は破損されないようにする効果を有する。
【００２１】
【発明の実施の形態】
以下、図面を参照して本発明の望ましい一実施形態をより詳細に説明する。
【００２２】
図１は本発明の一実施形態による液晶表示モジュールの分解斜視図である。
【００２３】
液晶表示モジュール８００は収納容器１００、バックライトアセンブリ２００、液晶表示パネルアセンブリ３００、強度補強クリップ４００及び軽量シャーシ５００により構成される。
【００２４】
収納容器１００は、基底面１１０、及び複数個の側壁１２０により構成される。
【００２５】
基底面１１０は一実施形態として直六面体プレート形状を有する。基底面１１０は重量を減少させるために、部分的に開口を形成することができる。
【００２６】
側壁１２０は基底面１１０の４個のエッジから収納空間を形成するために、同一の方向に所定高さで突出する。
【００２７】
以下、４個の側壁１２０を第１側壁１２２、第２側壁１２４、第３側壁１２６、第４側壁１２８と称する。
【００２８】
一実施形態として、側壁１２０には後述される軽量シャーシ５００と結合するための結合突起１２１が複数個形成される。また、側壁１２０のうちの相互に向き合う第２側壁１２４及び第４側壁１２８には少なくとも一つの第１穴１２３が形成される。
【００２９】
その他にも、第２側壁１２４及び第４側壁１２８には第１結合穴１２３以外に選択的にシャーシ結合穴１２５がさらに形成されることができる。シャーシ結合穴１２５は収納容器１００と後述される軽量シャーシ５００が相互に締結されるようにするために用意される。
【００３０】
バックライトアセンブリ２００は前述された収納容器１００の収納空間に収納される。
【００３１】
バックライトアセンブリ２００は、反射板２１０、ランプアセンブリ２２０、導光板２３０及び光学シート２４０を含む。
【００３２】
反射板２１０は収納容器１００の収納空間のうち、基底面１１０と接触するように設けられる。この反射板２１０は高い光反射率を有するように製作される。
【００３３】
ランプアセンブリ２２０はランプ２２２及びランプリフレクタ２２４により構成される。
【００３４】
望ましくは、ランプ２２２は一実施形態として冷陰極線管方式ランプである。
【００３５】
冷陰極線管ランプ２２２は寿命が長く、光を発生させる過程で熱発生が少なく、白色光が発生され、相当に小さい直径に製作することができるという長所を有する。
【００３６】
ランプリフレクタ２２４は冷陰極線管ランプ２２２で放射状に発生した光を一方向に反射させて射出されるようにして、光の利用効率が極大化されるようにする。このようなランプリフレクタ２２４は導光板２３０に組み合わされる。
【００３７】
導光板２３０は反射板２１０の上面に設けられる。望ましくは、導光板２３０としてはくさびタイププレート又は平行平板形プレートが使用されることができる。導光板２３０は冷陰極線管ランプ２２２で発生した線光源形態の光学分布を有する光を面光源形態の光学分布を有するように変更及び光の経路を変更させる役割を有する。
【００３８】
光学シート２４０は導光板２３０と後述される液晶表示パネルアセンブリ３００との間に配置される。光学シート２４０は導光板２３０で射出された光の輝度分布を均一にする。
【００３９】
光学シート２４０は一実施形態として、一枚の拡散シート２４２及び二枚のプリズムシート２４４により構成される。拡散シート２４２及びプリズムシート２４４には後述される強度補強クリップ４００にグリップされるに適合するように一部が突出された光学シート結合突起２４６が形成される。
【００４０】
液晶表示パネルアセンブリ３００は、液晶表示パネル３３０、テープキャリアパッケージ３４０及び印刷回路基板３５０により構成される。
【００４１】
液晶表示パネル３３０は、ＴＦＴ基板３１０、液晶及びカラーフィルタ基板３２０により構成される。この液晶表示パネル３３０は液晶を局部的に精密に制御する。また、液晶表示パネル３３０は液晶の光透過度を調節及び光透過度が調節された光をフィルタリングして所望である映像がディスプレーされるようにする。
【００４２】
印刷回路基板３５０は液晶表示パネル３３０に印加される駆動信号を生成する役割を有する。符号３５５は印刷回路基板３５０を接地させるための接地部である。
【００４３】
テープキャリアパッケージ３４０は印刷回路基板３５０で発生した駆動信号を指定されたタイミングに合わせて液晶表示パネル３３０に中継する。テープキャリアパッケージ３４０は可撓性材質で形成され、印刷回路基板３５０が収納容器１００の基底面１１０の後面に折り曲げられることができるようにして、液晶表示モジュール８００の全体的な平面積が大きく減少されることができるようにする。
【００４４】
軽量シャーシ５００は収納容器１００に収納された液晶表示パネルアセンブリ３００が収納容器１００から離脱されないようにすると同時に、外部から加えられた衝撃により割れやすい液晶表示パネルアセンブリ３００や冷陰極線管ランプ２２２などが破損されないようにする。
【００４５】
これを具現するために、軽量シャーシ５００は液晶表示パネルアセンブリ３００のエッジを加圧する第１壁部５１０及び第１壁部５１０から延び収納容器１００に結合される第２壁部５２０により構成される。
【００４６】
第２壁部５２０には収納容器１００の第１穴１２３の位置に対応する所にシャーシ結合孔５３０が形成され、収納容器１００のキャッチングフック１２８ｃに対応する所にはキャッチングフック１２８ｃと結合されるフック５２５が形成される。
【００４７】
軽量シャーシ５００はステンレス鋼に比べて比重が相当に軽いアルミニウム又はアルミニウム合金により製作される。
【００４８】
しかし、アルミニウム又はアルミニウム合金により製作された軽量シャーシ５００は重量が軽い代りに強度が弱いという短所を有する。
【００４９】
このように、強度が弱い軽量シャーシ５００を使用する場合、外部から加えられた衝撃は弱いものでもそのままに収納容器１００、液晶表示パネルアセンブリ３００又は冷陰極線管ランプ２２２などにそのままに伝達され、これらが容易に破損されるという問題がある。
【００５０】
本発明ではこのような問題を克服するために収納容器１００及び軽量シャーシ５００の間に強度補強クリップ４００が設けられる。
【００５１】
図２は、本発明の第１実施形態による強度補強クリップの斜視図である。図３は、図２に示した強度補強クリップを他の角度で示した斜視図である。
【００５２】
図１乃至図３に示すように、強度補強クリップ４００は一実施形態として帯形状を有するプレートを収納容器１００の側面を取り巻くよう配置できるように三個所で折り曲げた形状を有する。
【００５３】
ここで、強度補強クリップ４００は軽量シャーシ５００に比べて強度が高い、例えばステンレス鋼材質により製作される。また、強度補強クリップ４００の重量が最少化されるように、強度補強クリップ４００は最小限の大きさで製作される。
【００５４】
より具体的には、強度補強クリップ４００は前述した収納容器１００の第２側壁１２４又は第４側壁１２８の外側面、収納容器１００の第２側壁１２４の上面１２４ａ又は第４側壁１２８の上面１２８ａ及び収納容器１００の基底面１１０の外側面にきっちりと嵌合するように折り曲げられる。
【００５５】
この時、強度補強クリップ４００のうちの収納容器１００の第２側壁１２４又は第４側壁１２８の外側面と向き合う面には第１穴に挿入されるように環状突起が形成される。
【００５６】
図４は本発明の一実施形態により強度補強クリップと収納容器が結合されたことを示した背面斜視図である。図５は図３の分解斜視図である。
【００５７】
以下、図１乃至図５を参照して強度補強クリップをより具体的に説明する。
【００５８】
強度補強クリップ４００は第１補強本体部４１０、第２補強本体部４２０及び第３補強本体部４３０により構成される。
【００５９】
第１補強本体部４１０は収納容器１００の第２側壁１２４又は第４側壁１２８の外側面と向き合い、環状突起４１２を有する。
【００６０】
ここで、環状突起４１２は前述した収納容器１００の第２側壁１２４又は第４側壁１２８の外側面に形成された第１穴１２３に挿入されるに十分な直径を有する。また、環状突起４１２は第１補強本体部４１０から第１穴１２３に挿入される方向で形成される。また、環状突起４１２は外部から加えられた強い衝撃にも破損されないように第１補強本体部４１０の中央部分に位置する。
【００６１】
環状突起４１２の内側にはねじと締結可能であるようにねじ部４１２ａが形成される。
【００６２】
環状突起４１２が形成された第１補強本体部４１０には第２補強本体部４２０及び第３補強本体部４３０が連結される。第２補強本体部４２０及び第３補強本体部４３０は第１補強本体部４１０が収納容器１００から離脱されないようにする役割を有する。
【００６３】
第２補強本体部４２０は第１補強本体部４１０から収納容器１００の基底面１１０の一部を覆うように延びる。第２補強本体部４２０には第１結合孔４２５が形成される。
【００６４】
第１結合孔４２５は第２補強本体部４２０が基底面１１０から離脱することを防止する役割を有する。このために、収納容器１００の基底面１１０には第１結合孔４２５と結合されるようにするために、結合突起１１２が形成される。
【００６５】
第１結合孔４２５は結合突起１１２により容易に結合又は結合解除されるようにするために、クロス状即ち十字架形状で形成することが望ましい。
【００６６】
図６は本発明の実施形態による第２補強本体部の変形例の斜視図である。図７は図６に示した第２補強本体部を他の角度から見た斜視図である。
【００６７】
図６又は図７に示すように、第２補強本体部４２０の一部は部分切開され収納容器１００の基底面１１０に向かうように折り曲げられる。以下、第２補強本体部４２０のうちの収納容器１００の基底面１１０に向かって切開後、折り曲げられた部分を第２結合突起と称し、符号４２７を付与する。
【００６８】
図８は、本発明の上記変形例の第２補強本体部の第２結合突起が収納容器に結合されることを示した分解斜視図である。
【００６９】
図８に示すように、収納容器１００の基底面１１０には第２結合突起４２７を収納するために第２結合穴２１８ｂが形成される。
【００７０】
収納容器１００の第２結合穴２１８ｂに第２補強本体部４２０の第２結合突起４２７が挿入されることにより、第２補強本体部４２０は収納容器１００に堅固に固定される。
【００７１】
再び図１乃至図５に戻り説明するが、第２補強本体部４２０には液晶表示パネルアセンブリ３００の構成要素である印刷回路基板３５０が接地される。
【００７２】
これは、印刷回路基板３５０と第２補強本体部４２０が連結される場合、印刷回路基板３５０は軽量シャーシ５００及び後述されるケースとも電気的に連結されるためである。その他にも、第２補強本体部４２０と液晶表示パネルアセンブリ３００が接地される場合、バックライトアセンブリから発生する静電気を容易に除電することができるという長所も共に有する。
【００７３】
これを具現するために、第２補強本体部４２０からはグラウンド部４２９が延長形成される。
【００７４】
グラウンド部４２９は第２補強本体部４２０から延び印刷回路基板３５０と接地される。グラウンド部４２９には印刷回路基板３５０と効率的に接地されるようにするために、第２結合開口４２９ａがさらに形成される。導電性ねじ３５６はグラウンド部４２９の第２結合開口４２９ａを通りその周囲と印刷回路基板３５０を電気的に連結させる。
【００７５】
図示の例で、グラウンド部４２９は半円形部を底部とするスロット状開口とし、導電性ねじ３５６を媒介として印刷回路基板３５０とグラウンド部４２９が相互に締結されるようにしたが、第２結合開口４２９ａは孔状とすることも可能である。
【００７６】
この時、導電性ねじ３５６を媒介としてグラウンド部４２９と印刷回路基板３５０が相互に締結される場合、収納容器１００の基底面１１０から印刷回路基板３５０又は導電性ねじ３５６のヘッドが突出し液晶表示モジュール全体の厚さが増加するという問題が発生し得る。
【００７７】
収納容器１００の基底面１１０のうちの符号１１９で示した部分はグラウンド部４２９及び印刷回路基板３５０を締結する導電性ねじ３５６が基底面１１０から突出されないように凹陥させた導電性ねじ収納凹所である。
【００７８】
このようなグラウンド部４２９は、従来印刷回路基板３５０を接地させるために使用された接地クリップの役割を果たすことができ、液晶表示装置の部品数及び組立工程数を大きく減少させることができるようにする。
【００７９】
一方、第３補強本体部４３０は第１補強本体部４１０から前述した収納容器１００の第２側壁１２４の上面１２４ａ及び第４側壁１２８の上面１２８ａに沿って延びる。
【００８０】
ここで、第３補強本体部４３０の端部は収納容器１００の第２側壁１２４の上面１２４ａ及び第４側壁１２８の上面１２８ａに接触するだけのものでもよいが、第３補強本体部４３０が収納容器１００の第２側壁１２４の上面１２４ａ及び第４側壁１２８の上面１２８ａから離脱しないようにするために、端部の一部を折り曲げることも望ましい。
【００８１】
以下、第３補強本体部４３０の端部のうちの折り曲げられた部分を特別に離脱防止片と称し、符号４３５を付与する（図３）。離脱防止片４３５に対応する収納容器１００の第２側壁１２４の上面１２４ａ及び第４側壁１２８の上面１２８ａには離脱防止片４３５が収納されるようにするために、第３結合穴１２８ｂが形成される。
【００８２】
図９は本発明の望ましい一実施形態による液晶表示装置の分解斜視図である。
【００８３】
図９に示すように、液晶表示装置はケース９００、液晶表示モジュール８００及び補強ブラケット９３０により構成される。
【００８４】
ケース９００は、リアケース９１０及びフロントケース９２０により構成される。
【００８５】
リアケース９１０は前述した液晶表示モジュール８００が収納される収納空間を提供する。
【００８６】
これを具現するために、リアケース９１０はリアケース基底面９１５及びリアケース基底面９１５のエッジから延びたリアケース側壁９１７により構成される。
【００８７】
リアケース側壁９１７のうちの前述した強度補強クリップ４００の環状突起４１２が形成された所にはリアケース結合穴９１９が形成される。このリアケース９１０は望ましくマグネシウム合金を利用して製作される。
【００８８】
フロントケース９２０はリアケース９１０と結合され、液晶表示モジュール８００の有効ディスプレー領域で発生した映像は覆わずに、その他の部分を取囲むフレーム形状を有する。
【００８９】
一方、補強ブラケット９３０はリアケース９１０のリアケース側壁９１７と液晶表示モジュール８００の軽量シャーシ５００との間に介在させられる。
【００９０】
補強ブラケット９３０は外部から液晶表示モジュール８００に加えられる衝撃が最少化されるようにする役割を有する。望ましい一実施形態として、補強ブラケット９３０は直六面体プレート形状を有する。補強ブラケット９３０には強度補強クリップ４００の環状突起４１２に対応する部分にブラケット結合穴９２５が形成される。
【００９１】
リアケース９１０、補強ブラケット９３０、液晶表示モジュール８００は締結ねじ９２７により締結される。
【００９２】
締結ねじ９２７はリアケース９１０のリアケース側壁９１７に形成されたリアケース結合穴９１９、補強ブラケット９３０のブラケット結合穴９２５及び液晶表示モジュール８００の軽量シャーシ５００のシャーシ結合孔１２５を通じて強度補強クリップ４００に形成された環状突起４１２に結合される。
【００９３】
これにより、外部から加えられた衝撃は一次的にリアケース９１０及び補強ブラケット９２０が吸収し、その他の衝撃は強度補強クリップ４００が吸収する。
【００９４】
ここで、強度補強クリップ４００が外部から加えられた衝撃を吸収することにより、アルミニウム又はアルミニウム合金材質からなった軽量シャーシ５００の変形も最少化することができる。また、液晶表示装置９５０をさらに軽量に製作することができる。
【００９５】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００９６】
【発明の効果】
本発明によると、シャーシを軽量に製作して液晶表示モジュール又は液晶表示装置の重量及び体積を大きく減少させることは勿論、シャーシを軽量に製作することにより弱くなった強度を液晶表示装置用クリップで補強して耐衝撃性を極大化させる効果を有する。
【図面の簡単な説明】
【図１】本発明の一実施形態による液晶表示モジュールの分解斜視図である。
【図２】本発明の第１実施形態による強度補強クリップの斜視図である。
【図３】図２に示した強度補強クリップを他の角度で示した斜視図である。
【図４】本発明の一実施形態により強度補強クリップと収納容器が結合されたことを示した背面斜視図である。
【図５】図３の分解斜視図である。
【図６】本発明の第２実施形態による第２補強本体部の斜視図である。
【図７】図６に示した第２補強本体部を他の角度で示した斜視図である。
【図８】本発明の第２実施形態により第２補強本体部の第２結合突起が収納容器に結合されることを示した分解斜視図である。
【図９】本発明の望ましい一実施形態による液晶表示装置の分解斜視図である。
【符号の説明】
１００　　収納容器
１１０　　基底面
１２０　　側壁
１２２　　第１側壁
１２３　　第１結合穴
１２４　　第２側壁
１２５　　シャーシ結合穴
１２６　　第３側壁
１２８　　第４側壁
２００　　バックライトアセンブリ
２１０　　反射板
２２０　　ランプアセンブリ
２２２　　冷陰極線管ランプ
２２４　　ランプリフレクタ
２３０　　導光板
２４２　　拡散シート
２４４　　プリズムシート
３００　　液晶表示パネルアセンブリ
３３０　　液晶表示パネル
３５０　　印刷回路基板
４００　　強度補強クリップ
５００　　軽量シャーシ
５１０　　第１面
５２０　　第２面
８００　　液晶表示モジュール
９１０　　リアケース
９１７　　リアケース側壁
９１９　　リアケース結合穴
９２０　　フロントケース
９２５　　ブラケット結合穴
【図１】
2004021257.tif 000003
【図２】
2004021257.tif 000004
【図３】
2004021257.tif 000005
【図４】
2004021257.tif 000006
【図５】
2004021257.tif 000007
【図６】
2004021257.tif 000008
【図７】
2004021257.tif 000009
【図８】
2004021257.tif 000010
【図９】
2004021257.tif 000011